(57)【特許請求の範囲】
【請求項１】
デジタルテレビジョン放送受信装置を双方向通信により遠隔操作するためのリモコン装置であって、
前記デジタルテレビジョン放送受信装置から番組情報を受信する番組情報受信手段と、該受信した番組情報を記憶する記憶手段と、該記憶した番組情報に基づきその内容を表示すると共に、該番組情報の番組を選局するための選局用スライダを表示する表示手段と、該選局用スライダに対するユーザ操作の座標位置を検出する座標位置検出手段と、該検出した座標位置に基づいて番組選局を行う番組選局手段とを備え、
前記座標位置検出手段は、前記選局用スライダの任意の座標位置がユーザの指でタッチされたときに、該タッチされた座標位置を検出し、
前記表示手段は、前記座標位置検出手段により検出した座標位置に対応する番組情報を前記記憶手段から抽出して表示し、
前記番組選局手段は、前記選局用スライダからユーザの指が離れたときの座標位置に対応する番組情報の番組を選局対象とし、ユーザの指で前記番組情報の表示領域がタッチされると、前記選局対象の番組を選局するための選局信号を前記デジタルテレビジョン放送受信装置に送信することを特徴とするリモコン装置。
【請求項２】
請求項１に記載のリモコン装置において、前記番組情報受信手段は、前記デジタルテレビジョン放送受信装置から番組情報を受信する際にユーザがお気に入り登録したお気に入り番組情報を識別可能な状態で受信し、
前記表示手段は、前記選局用スライダの座標位置に連動して、前記お気に入り番組情報を表示する際に、該お気に入り番組情報の表示時間を他の番組情報の表示時間よりも長くすることを特徴とするリモコン装置。
【請求項３】
請求項２に記載のリモコン装置において、前記選局用スライダの座標位置に連動して、前記お気に入り番組情報を表示する際に、該お気に入り番組情報であることを振動によりユーザに通知することを特徴とするリモコン装置。
【請求項４】
請求項２に記載のリモコン装置において、前記選局用スライダの座標位置に連動して、前記お気に入り番組情報を表示する際に、該お気に入り番組情報であることを音によりユーザに通知することを特徴とするリモコン装置。
【請求項５】
請求項２に記載のリモコン装置において、前記選局用スライダの座標位置に連動して、前記お気に入り番組情報を表示する際に、該お気に入り番組情報であることを背景色を変更することによりユーザに通知することを特徴とするリモコン装置。
【請求項６】
請求項１乃至５のいずれか１項に記載のリモコン装置において、前記デジタルテレビジョン放送受信装置は、複数のチューナを備え、
前記番組選局手段は、前記選局用スライダ上でユーザの指が停止したときの座標位置に対応する番組情報の番組を選局するための選局信号を前記デジタルテレビジョン放送受信装置に送信し、該デジタルテレビジョン放送受信装置が備える複数のチューナのうち未使用チューナに前記番組を選局させると共に、前記デジタルテレビジョン放送受信装置から前記番組のサムネイル画像を受信し、
前記表示手段は、前記デジタルテレビジョン放送受信装置から受信した前記番組のサムネイル画像を表示することを特徴とするリモコン装置。
【請求項７】
請求項１乃至６のいずれか１項に記載のリモコン装置において、前記座標位置検出手段は、前記表示手段と一体的に設けられたタッチパネルであることを特徴とするリモコン装置。
【請求項８】
請求項１乃至７のいずれか１項に記載のリモコン装置において、前記選局用スライダは、バー状であることを特徴とするリモコン装置。
【請求項９】
請求項８に記載のリモコン装置において、前記選局用スライダは、複数本のバー状のスライダで構成され、１本当りの選局可能な番組数を異ならせたことを特徴とするリモコン装置。
【請求項１０】
請求項９に記載のリモコン装置において、前記複数本のバー状のスライダは、同一の選局可能番組を含むことを特徴とするリモコン装置。
【請求項１１】
請求項１乃至７のいずれか１項に記載のリモコン装置において、前記選局用スライダは、渦巻状であることを特徴とするリモコン装置。
【請求項１２】
請求項１乃至１１のいずれか１項に記載のリモコン装置と、該リモコン装置により遠隔操作されるデジタルテレビジョン放送受信装置とを備えたリモコンシステムであって、
前記リモコン装置は、前記選局用スライダ上でユーザの指が停止したときの座標位置に対応する番組情報の番組を選局するための選局信号を前記デジタルテレビジョン放送受信装置に送信し、
前記デジタルテレビジョン放送受信装置は、複数のチューナを備え、前記リモコン装置からの前記選局信号に従って、前記複数のチューナのうち未使用チューナを用いて前記番組を選局すると共に、該番組のサムネイル画像を生成し、該生成したサムネイル画像を前記リモコン装置に送信することを特徴とするリモコンシステム。
【発明の詳細な説明】
【技術分野】
【０００１】
本発明は、リモコン装置及びシステムに関し、デジタルテレビジョン放送受信装置を双方向通信により遠隔操作するためのリモコン装置及び該装置を備えたリモコンシステムに関する。
【背景技術】
【０００２】
従来、デジタル技術の発展に伴い、放送用映像、音声、データ信号などをデジタル信号として扱い、ＢＳ，ＣＳ，地上波などの各種方式で放送を行うデジタル放送サービスが実用化されている。このようなデジタル放送サービスでは、ＭＰＥＧ等の動画像圧縮技術が用いられ、数百チャンネルの番組が提供されている。
【０００３】
上記のように数多くの番組の中から所望の番組を簡単に選択するために、電子番組ガイドサービスが知られている。この電子番組ガイドサービスによれば、番組のタイトルや、放送局名、あらすじなどの番組内容、出演者等の番組情報が提供され、ユーザは電子番組ガイド上で録画予約等の設定を行うことができる。
【０００４】
通常、ユーザがデジタル放送の番組を選局する場合、手元のリモコン装置を用いてテレビ等を遠隔操作するが、これには、例えば、リモコンの１〜１２のダイレクトキーを操作して選局する、テレビに電子番組表を表示させてリモコンの方向キーを操作して選局する、リモコンのチャンネルアップ／ダウンキーを操作して選局する、３桁のチャンネル番号を入力して選局する、といった方法が考えられる。
【０００５】
リモコンとテレビで構成されるシステムにおいて、多チャンネル化に対応して見たい番組を素早く選局できるようにすることが望まれている。しかし、上記のように、ダイレクトキーによる選局方法は多チャンネル化に不向きであり、電子番組表による選局方法は目的とする番組を選択するのに操作キーを何度も操作する必要がある。また、チャンネルアップ／ダウンキーによる選局方法は映像が表示されるまでに時間がかかり、３桁のチャンネル番号入力による選局方法は目的の番組が何を放送しているのか不明であるという問題がある。
【０００６】
これに対して、リモコンに液晶画面とタッチパネルを採用して、各放送局のボタン一覧を表示し、ダイレクトキーと同等の操作を可能としたものが知られている。例えば、特許文献１には、放送番組に対応するチャンネルを選択するための入力を行うリモコンが、放送受信機において抽出された放送番組の番組タイトルデータを取得し、リモコンはその番組タイトルデータに基づき、リモコンの操作パネルに番組タイトルが表示されるチャンネルキーを表示することが記載されている。これによりユーザは、番組タイトルが表示されるチャンネルキーを視認することにより、チャンネルキーに対応する放送番組の内容を認識することができる。
【０００７】
また、特許文献２には、被制御装置を介してコンテンツ情報を受信する受信部と、受信したコンテンツ情報に基づきその内容を表示するための表示部と、表示部に表示された内容に基づき操作者が選択指示するための入力部と、入力された選択指示に基づいて被制御装置を操作するための操作情報を送信する送信部とを備えた双方向リモコン装置が記載されている。
【特許文献１】特開２００７−６４０７号公報
【特許文献２】特開２００４−２６６７９９号公報
【発明の開示】
【発明が解決しようとする課題】
【０００８】
しかしながら、上記特許文献１に記載の発明の場合、リモコン側に番組情報を取得して、番組タイトルを一覧表示するため、リモコンの限られた表示エリアでは一度に表示できる番組タイトル数が制限されてしまう。従って、番組数が多い場合には、ユーザが目的とする番組を選局するために画面の切り換えにカーソルキーの操作が必要となる。
また、上記特許文献２に記載の発明の場合、画面上の番組情報を順番にカーソルキーで送りながら切り換える必要があり、特許文献１に記載の発明と同様にタッチパネルから直接選局することができない。このため、特許文献１，２をはじめとする従来技術では、ユーザがカーソルキーの操作とタッチパネルの操作とをそれぞれ行う必要があり、操作ステップが多くなり、所望の番組を素早く選局することができなかった。
【０００９】
本発明は、上述のごとき実情に鑑みてなされたものであり、カーソルキー等を使用せずに、タッチパネル上で番組情報を連続的に切り換えて表示させ、目的の番組を簡単且つ素早く選局することができるリモコン装置及び該装置を備えたリモコンシステムを提供すること、を目的とする。
【課題を解決するための手段】
【００１０】
上記課題を解決するために、本発明の第１の技術手段は、デジタルテレビジョン放送受信装置を双方向通信により遠隔操作するためのリモコン装置であって、前記デジタルテレビジョン放送受信装置から番組情報を受信する番組情報受信手段と、該受信した番組情報を記憶する記憶手段と、該記憶した番組情報に基づきその内容を表示すると共に、該番組情報の番組を選局するための選局用スライダを表示する表示手段と、該選局用スライダに対するユーザ操作の座標位置を検出する座標位置検出手段と、該検出した座標位置に基づいて番組選局を行う番組選局手段とを備え、前記座標位置検出手段は、前記選局用スライダの任意の座標位置がユーザの指でタッチされたときに、該タッチされた座標位置を検出し、前記表示手段は、前記座標位置検出手段により検出した座標位置に対応する番組情報を前記記憶手段から抽出して表示し、前記番組選局手段は、前記選局用スライダからユーザの指が離れたときの座標位置に対応する番組情報の番組を選局対象とし、ユーザの指で前記番組情報の表示領域がタッチされると、前記選局対象の番組を選局するための選局信号を前記デジタルテレビジョン放送受信装置に送信することを特徴としたものである。
【００１２】
第２の技術手段は、第１の技術手段において、前記番組情報受信手段は、前記デジタルテレビジョン放送受信装置から番組情報を受信する際にユーザがお気に入り登録したお気に入り番組情報を識別可能な状態で受信し、前記表示手段は、前記選局用スライダの座標位置に連動して、前記お気に入り番組情報を表示する際に、該お気に入り番組情報の表示時間を他の番組情報の表示時間よりも長くすることを特徴としたものである。
【００１３】
第３の技術手段は、第２の技術手段において、前記選局用スライダの座標位置に連動して、前記お気に入り番組情報を表示する際に、該お気に入り番組情報であることを振動によりユーザに通知することを特徴としたものである。
【００１４】
第４の技術手段は、第２の技術手段において、前記選局用スライダの座標位置に連動して、前記お気に入り番組情報を表示する際に、該お気に入り番組情報であることを音によりユーザに通知することを特徴としたものである。
【００１５】
第５の技術手段は、第２の技術手段において、前記選局用スライダの座標位置に連動して、前記お気に入り番組情報を表示する際に、該お気に入り番組情報であることを背景色を変更することによりユーザに通知することを特徴としたものである。
【００１８】
第６の技術手段は、第１乃至５のいずれか１項に記載のリモコン装置において、前記デジタルテレビジョン放送受信装置は、複数のチューナを備え、前記番組選局手段は、前記選局用スライダ上でユーザの指が停止したときの座標位置に対応する番組情報の番組を選局するための選局信号を前記デジタルテレビジョン放送受信装置に送信し、該デジタルテレビジョン放送受信装置が備える複数のチューナのうち未使用チューナに前記番組を選局させると共に、前記デジタルテレビジョン放送受信装置から前記番組のサムネイル画像を受信し、前記表示手段は、前記デジタルテレビジョン放送受信装置から受信した前記番組のサムネイル画像を表示することを特徴としたものである。
【００１９】
第７の技術手段は、第１乃至第６のいずれか１の技術手段において、前記座標位置検出手段は、前記表示手段と一体的に設けられたタッチパネルであることを特徴としたものである。
【００２０】
第８の技術手段は、第１乃至第７のいずれか１の技術手段において、前記選局用スライダは、バー状であることを特徴としたものである。
【００２１】
第９の技術手段は、第８の技術手段において、前記選局用スライダは、複数本のバー状のスライダで構成され、１本当りの選局可能な番組数を異ならせたことを特徴としたものである。
【００２２】
第１０の技術手段は、第９の技術手段において、前記複数本のバー状のスライダは、同一の選局可能番組を含むことを特徴としたものである。
【００２３】
第１１の技術手段は、第１乃至第７のいずれか１の技術手段において、前記選局用スライダは、渦巻状であることを特徴としたものである。
【００２４】
第１２の技術手段は、第１乃至第１１のいずれか１の技術手段におけるリモコン装置と、該リモコン装置により遠隔操作されるデジタルテレビジョン放送受信装置とを備えたリモコンシステムであって、前記リモコン装置は、前記選局用スライダ上でユーザの指が停止したときの座標位置に対応する番組情報の番組を選局するための選局信号を前記デジタルテレビジョン放送受信装置に送信し、前記デジタルテレビジョン放送受信装置は、複数のチューナを備え、前記リモコン装置からの前記選局信号に従って、前記複数のチューナのうち未使用チューナを用いて前記番組を選局すると共に、該番組のサムネイル画像を生成し、該生成したサムネイル画像を前記リモコン装置に送信することを特徴としたものである。
【発明の効果】
【００２５】
本発明によれば、カーソルキー等を使用せずに、タッチパネル上で番組情報を連続的に切り換えて表示させることができるため、番組選局に煩雑な操作を必要とせず、目的の番組を簡単且つ素早く選局することができる。
【発明を実施するための最良の形態】
【００２６】
以下、添付図面を参照しながら、本発明のリモコン装置及び該装置を備えたリモコンシステムの好適な実施の形態について説明する。
【００２７】
図１は、本発明の一実施形態に係るリモコン装置及びデジタルテレビジョン放送受信装置の構成例を示すブロック図である。図１（Ａ）はリモコン装置の構成例を示す図で、図中、１０はリモコン装置（以下、リモコンという）を示す。図１（Ｂ）はデジタルテレビジョン放送受信装置の構成例を示す図で、図中、２０はデジタルテレビジョン放送受信装置（以下、テレビという）を示す。なお、デジタルテレビジョン放送受信装置２０は、チューナ機能を備えていればよく、テレビ以外にも、ＨＤＤレコーダやＤＶＤレコーダなどであってもよい。
【００２８】
図１（Ａ）において、リモコン１０は、リモコン１０の動作を制御するＣＰＵ１１と、制御用プログラムやデータなどを記憶するメモリ１２と、タッチパネル１３１を一体的に設けたＬＣＤ（Liquid Crystal Display）等で構成される表示部１３と、電源ボタンや各種操作ボタン等で構成される操作部１４と、テレビ２０との間で双方向通信を行うためのリモコン信号送受信部１５と、ユーザに対して音や振動で各種通知を行うための通知部１６とを備える。
【００２９】
また、図１（Ｂ）において、テレビ２０は、テレビ２０の動作を制御するＣＰＵ２１と、制御用プログラムやデータなどを記憶するメモリ２２と、リモコン１０との間で双方向通信を行うためのリモコン信号送受信部２３と、デジタル放送信号を受信する主チューナ２４，副チューナ２５と、主チューナ２４または副チューナ２５で受信したデジタル放送信号をＡＶストリームと番組情報とに分離するＤＥＭＵＸ２６と、ＤＥＭＵＸ２６で分離されたＡＶストリームを映像信号と音声信号に復号するＡＶストリーム復号部２７と、ＡＶストリーム復号部２７で復号された映像信号にＯＳＤ（オン・スクリーン・ディスプレイ）信号を合成して映像出力するＯＳＤ合成部２８とを備える。なお、ＡＶストリーム復号部２７で復号された音声信号は図示しないスピーカから音声出力される。
【００３０】
本発明の主たる特徴部分は、テレビを双方向通信により遠隔操作するリモコンを用いて、テレビから番組情報を受信・記憶し、ダイレクトキーやカーソルキー等を使用せずに、タッチパネル上で番組情報を連続的に切り換えて表示させ、これにより目的の番組を簡単且つ素早く選局可能とすることである。すなわち、リモコンの液晶画面に表示された仮想的なスライダをユーザがタッチパネルを介して指でなぞる操作（スライド操作）により、番組情報を連続的に切り換え表示しながら、目的の番組を選局できるようにする。
【００３１】
このための構成として、リモコン１０は、テレビ２０から番組情報を受信する番組情報受信手段に相当するリモコン信号送受信部１５と、受信した番組情報を記憶する記憶手段に相当するメモリ１２と、記憶した番組情報に基づきその内容を表示すると共に、番組情報の番組を選局するための選局用スライダを表示する表示手段に相当する表示部１３と、選局用スライダに対するユーザ操作の座標位置を検出する座標位置検出手段に相当するタッチパネル１３１と、検出した座標位置に基づいて番組選局を行う番組選局手段に相当するＣＰＵ１１とを備える。表示部１３は、ＣＰＵ１１の制御に従って、タッチパネル１３１により検出した座標位置に連動させて、メモリ１２に記憶した番組情報を切り換えて表示する。
【００３２】
図２は、本発明に係るリモコン１０及びテレビ２０の外観構成の一例を示す図である。リモコン１０は、タッチパネル１３１を一体的に設けた表示部１３と、電源ボタンや音量ボタン、方向ボタンなどで構成される操作部１４とを備える。表示部１３の画面上には、番組選局のためのバー状の選局用スライダ１０１と、テレビ２０から受信された番組情報１０２とが表示される。選局用スライダ１０１は、カーソルＳを移動可能に有し、カーソルＳの位置に応じた番組情報１０２が表示部１３に表示される。選局用スライダ１０１上の座標位置は絶対座標として管理されており、この座標位置とメモリ１２に記憶された番組情報とが予め関連付けされている。なお、ここでいう番組情報とは、例えば、番組名、チャンネル番号、ジャンル、放送事業者情報（ロゴデータ）などが含まれる。
【００３３】
図２において、ユーザの指３０でカーソルＳにタッチしたまま図中矢印の方向に移動させると、これに応じてカーソルＳも選局用スライダ１０１上を移動する。このカーソルＳの座標位置はタッチパネル１３１上で検出され、ＣＰＵ１１に入力される。ＣＰＵ１１は、カーソルＳの座標位置に対応する番組情報１０２をメモリ１２から抽出して連続的に表示部１３に表示させる。なお、番組情報１０２の表示の切り換え速度は、ユーザの指３０の移動速度、すなわちカーソルＳの移動速度に応じて変化させてもよい。例えば、カーソルＳをゆっくり移動させている場合には、番組情報１０２の表示の切り換え速度を遅くし、一方、カーソルＳを素早く移動させている場合には、番組情報１０２の表示の切り換え速度を速くする。
【００３４】
上記ユーザ操作に従って番組情報を連続的に切り換え表示させていき、ユーザ所望の番組情報が表示部１３に表示された際に、ユーザが指３０をカーソルＳから離すと、このときの座標位置に対応する番組情報１０２の番組が選局対象として確定される。そして、ユーザが表示されている番組情報１０２の表示エリアを指３０でタッチすると、リモコン１０は、選局対象として確定された番組情報１０２の番組を選局するための選局信号（すなわち、リモコンコード）をテレビ２０に送信する。テレビ２０はリモコン１０から受信した選局信号に従って、番組を選局して画面に表示する。
【００３５】
また、選局スライダ１０１による別の選局方法として、ユーザが選局スライダ１０１において選局したい番組の大体の位置が分かっていれば、その位置を指３０で直接タッチして選局することもできる。すなわち、表示部１３は、選局用スライダ１０１の任意の座標位置がユーザの指３０でタッチされたときに、タッチされた座標位置に対応する番組情報をメモリ１２から抽出して表示する。この場合、指３０でタッチした位置に追従してカーソルＳが移動するため、おおまかに位置を決めてから指３０でカーソルＳを左右に移動させることで、数多くの番組に対してある程度範囲を絞って検索することが可能となり、所望の番組を素早く選局することができる。
【００３６】
上記において、ユーザはリモコンの操作回数を重ねるたびに大体どの位置に所望の番組が対応しているか経験的に把握できるようになるため、必ずしもカーソルＳを図中左から右に移動させて順番に番組情報をチェックしていかなくてもよい。
【００３７】
本発明によれば、カーソルキー等を使用せず、液晶画面に表示された仮想的なウェジット（選局用スライダ）をユーザがタッチパネルを介して指でなぞるアナログ的な操作により、番組情報を画面表示しながら、目的の番組を素早く選局することができる。
また、テレビとリモコンの間で双方向にデータを送受信することができるため、リモコンの画面上でユーザに番組情報を提示して選局することが可能となり、操作性の向上を図ることができる。
【００３８】
図３は、本発明のリモコン１０が備える表示部１３に表示される画面例を示す図である。図３（Ａ）はリモコン１０の初期画面の一例を示し、図３（Ｂ）は選局用スライダ１０１を表示させたときの画面例を示す。
【００３９】
図３（Ａ）において、リモコン１０は、テレビ２０と双方向通信して番組情報を受信・記憶する。リモコン１０の表示部１３には、初期画面として、ネットワーク種別選択キー１０３が表示され、ユーザはこのネットワーク種別選択キー１０３に含まれるＢＳ、ＣＳ、地上Ｄ、Ｎｅｔの中から、所望のネットワークを選択する。なお、地上Ｄは地上波デジタル放送、Ｎｅｔはインターネットを示す。ここでは“ＢＳ”が選択されているものとする。
【００４０】
リモコン１０は、図３（Ａ）において“ＢＳ”がユーザ選択されたことを検出すると、リモコン１０のメモリ１２に記憶されている“ＢＳ”の番組情報をリスト化し、図３（Ｂ）に示すような画面表示を行う。図３（Ｂ）において、リモコン１０は、ネットワーク種別選択キー１０３の下部に、選局用スライダ１０１を表示し、さらに、番組情報１０２の表示領域に、番組情報１０２の番組を選局実行するための選局実行キー１０４を表示させる。
【００４１】
図３（Ｂ）において、ユーザは指３０でカーソルＳにタッチしたまま図中矢印のいずれかの方向にスライド操作させることで、リモコン１０はそのタッチ位置に対応する番組情報１０２をメモリ１２から抽出して表示部１３に表示する。そして、リモコン１０は、カーソルＳからユーザの指が離れたときの座標位置に対応する番組情報１０２の番組を選局対象とし、ユーザの指３０で選局実行キー１０４がタッチされると、選局対象の番組を選局するための選局信号をテレビ２０に送信する。テレビ２０は、リモコン１０から受信した選局信号に従って、番組を選局して画面に表示する。
【００４２】
ここで、リモコン１０のリモコン信号送受信部１５は、テレビ２０から番組情報を受信する際にユーザがお気に入り登録した番組情報を識別可能な状態で受信する。具体的には、例えば、テレビ２０のお気に入り番組登録機能を利用することができる。このお気に入り番組登録機能は、テレビ２０がメモリ２２に記憶した番組情報の中で、ユーザが定期的に視聴している番組や、スポーツ中継などで特別に見たい番組などをお気に入り番組として予め登録するための機能であり、この機能によれば、テレビ２０はユーザによりお気に入りとして指定された番組にフラグを付与して他の番組と識別可能な状態でメモリ２２に登録される。
【００４３】
リモコン１０は、テレビ２０から、上記フラグ有りの番組情報を含む番組情報を受信・記憶する。これにより、リモコン１０は、メモリ１２に記憶した全ての番組情報の中から、お気に入り登録された番組の番組情報を識別することが可能となる。
【００４４】
上記において、リモコン１０を用いて連続的に番組情報を表示した場合、ユーザはお気に入り登録した番組に気が付かないケースが考えられる。
そこで、リモコン１０の選局処理において、お気に入り登録した番組の番組情報をユーザが認識し易いようにする。例えば、表示部１３は、ＣＰＵ１１の制御に基づいて、選局用スライダ１０１の座標位置に連動して、お気に入り番組情報を表示する際に、お気に入り番組情報の表示時間を他の番組情報の表示時間よりも長くする。すなわち、ユーザがカーソルＳをスライド操作したときに、タッチパネル１３１で検出した座標位置がお気に入り登録した番組情報に対応していることを検知すると、所定時間カーソルＳの移動操作を受け付けず、当該座標位置にカーソルＳを停止させるように制御する。このため、お気に入り番組情報の表示はすぐに切り換わらないため、ユーザは当該番組情報がお気に入り登録した番組であることを認識することができる。
【００４５】
また、上記処理に加えて、リモコン１０は、お気に入り登録した番組の番組情報であることを振動によりユーザに通知するようにしてもよい。この場合、通知部１６がリモコン１０を振動させるバイブレータを備えることで実現される。
【００４６】
また、リモコン１０は、お気に入り登録した番組の番組情報であることを音によりユーザに通知するようにしてもよい。この場合、通知部１６が警告音やビープ音を発生するための音源を備えることで実現される。
【００４７】
また、リモコン１０は、お気に入り登録した番組の番組情報であることを、背景色を変更することによりユーザに通知するようにしてもよい。この場合、お気に入り登録した番組情報の背景色を他の番組情報の背景色と異なる色に設定する。例えば、ユーザの注意を促すような目立つ色、例えば「赤」などにして、ユーザが見つけ易くすることができる。
【００４８】
図４は、本発明のリモコン１０とテレビ２０との間における番組情報更新シーケンスの一例について説明するための図である。なお、本例では、テレビ２０のＣＰＵ２１を番組情報受信制御部とリモコン通信制御部とに区別し、リモコン１０のＣＰＵ１１を番組情報更新制御部として説明するものとする。まず、テレビ２０の番組情報受信制御部は、放送局から新規のＥＩＴ（Event Information Table）を受信すると（Ｓ１）、受信したＥＩＴに基づいて番組情報を更新してメモリ２２に記憶する（Ｓ２）。なお、このＥＩＴとは、番組のタイトル、放送日時、放送内容などの番組に関連する情報を含む情報であり、電子番組表はこのＥＩＴに基づいて作成される。
【００４９】
リモコン１０の番組情報更新制御部は、タイマ等により定期的な番組情報の取得イベントが発生すると、テレビ２０に対して通信接続要求を行い（Ｓ３）、テレビ２０のリモコン通信制御部はこの通信接続要求に対して通信確立応答を返す（Ｓ４）。
次に、リモコン１０の番組情報更新制御部は、テレビ２０のリモコン通信制御部に対して更新番組情報を要求し（Ｓ５）、これを受けたテレビ２０のリモコン通信制御部は、番組情報受信制御部に更新情報を要求し（Ｓ６）、これを受けた番組情報受信制御部は、メモリ２２から更新情報を取得し（Ｓ７）、取得した更新情報をリモコン通信制御部に送信する（Ｓ８）。
【００５０】
次に、テレビ２０のリモコン通信制御部は、番組情報受信制御部から受信した更新情報をリモコン１０に送信し（Ｓ９）、これを受けたリモコン１０の番組情報更新制御部は、メモリ１２にローカルデータベースとして構築された番組情報を更新・記憶する（Ｓ１０）。
【００５１】
図５は、本発明のリモコン１０による選局操作シーケンスの一例について説明するための図である。なお、本例では、リモコン１０の表示部１３と操作部１４とをユーザ操作部とし、ＣＰＵ１１を入力制御部、選局制御部、画面制御部に区別して説明するものとする。まず、入力制御部は、ユーザ操作部から選局操作を受け付けると（Ｓ１１）、前処理を行う（Ｓ１２）。ここでいう前処理とは、選局動作のための画面制御部の管理（描画ルーチンの初期化等）や、データベースアクセスのための手順管理（データベースのオープン処理等）などを含むものとする。
【００５２】
次に、選局制御部は、メモリ１２にアクセスし、メモリ１２にローカルデータベースとして構築された前回の番組情報を取得する（Ｓ１３）。ここで、ユーザが直近に行った選局操作時の番組情報はメモリ１２に記録されており、選局操作に入ったときに前回の番組情報として取得され、後述のＳ２０における初期選択画面１１２に表示される。
選局制御部は、画面制御部に画面生成を要求し（Ｓ１４）、画面制御部は、画面描画処理を行い、初期画面１１１を表示部１３に出力する（Ｓ１５）。
【００５３】
次に、入力制御部は、ユーザ操作部からネットワーク種別（ＢＳ，ＣＳ，地Ｄ，Ｎｅｔ）の選択操作を受け付けると（Ｓ１６）、受け付けたネットワーク種別を選択する（Ｓ１７）。選局制御部は、メモリ１２にアクセスし、ネットワーク種別に応じた番組リスト群を選択して取得する（Ｓ１８）。選局制御部は、画面制御部に対して、番組情報と選局用スライダを含む選局エリアの生成を要求し（Ｓ１９）、画面制御部は、選局エリアを含む画面の描画処理を行い、初期選択画面１１２を表示部１３に出力する（Ｓ２０）。なお、初期選択画面１１２は、上記Ｓ１３で取得した前回の番組情報を表示してもよく、あるいは、ＢＳの場合には例えば１０３ｃｈが表示されるようにデフォルト設定しておいてもよい。
【００５４】
次に、入力制御部は、ユーザ操作部から選局用スライダによる選局エリア操作を受け付けると（Ｓ２１）、選局用スライダの座標位置を決定する（Ｓ２２）。選局制御部は、メモリ１２にアクセスし、決定した座標位置に対応する番組情報を取得する（Ｓ２３）。選局制御部は、画面制御部に対して、番組情報と選局用スライダを含む選局エリアの生成を要求し（Ｓ２４）、画面制御部は、選局エリアを含む画面の描画処理を行い、画面１１３を表示部１３に出力する（Ｓ２５）。
【００５５】
次に、入力制御部は、ユーザ操作部から選局用スライダによる次候補の選局エリア操作を受け付けると（Ｓ２６）、選局用スライダの次候補の座標位置を決定する（Ｓ２７）。選局制御部は、メモリ１２にアクセスし、決定した次候補の座標位置に対応する番組情報を取得する（Ｓ２８）。選局制御部は、画面制御部に対して、次候補の番組情報と選局用スライダを含む選局エリアの生成を要求し（Ｓ２９）、画面制御部は、選局エリアを含む画面の描画処理を行い、画面１１４を表示部１３に出力する（Ｓ３０）。
【００５６】
次に、入力制御部は、ユーザ操作部から選局用スライダによる選局実行を受け付けると（Ｓ３１）、選局制御部に対して選局実行する（Ｓ３２）。この選局実行は、前述したように、選局用スライダからユーザの指が離れたときの座標位置に対応する番組情報の番組を選局対象とし、画面１１５に示すようにユーザの指で番組情報の表示領域がタッチされると選局実行される。選局制御部は、画面制御部に対して終了処理を行い（Ｓ３３）、テレビ２０に対して、上記番組の選局信号を送信してリモコン選局を実行する（Ｓ３４）。
【００５７】
図６は、本発明のリモコンが備える表示部に表示される他の画面例を示す図である。前述したように、テレビ２０は、主チューナ２４と副チューナ２５とを備え、主チューナ２４で番組選局を行い、副チューナ２５は未使用である場合を想定する。リモコン１０は、選局用スライダ１０１上でユーザの指３０が停止したときの座標位置に対応する番組情報の番組を選局するための選局信号をテレビ２０に送信する。ユーザの指３０が選局用スライダ１０１上で停止したかどうかの判定は、所定時間同じ座標位置が検出されたか否かで行うことができる。ユーザの指３０が停止したということはユーザがじっくり番組情報を見たい番組であると考えられる。そこで、テレビ２０は、リモコン１０からの選局信号に従って、複数チューナのうち未使用の副チューナ２５を用いて番組を選局すると共に、その番組の映像をキャプチャしてサムネイル画像１０５を生成し、生成したサムネイル画像１０５をリモコン１０に送信する。リモコン１０の表示部１３は、テレビ２０から受信した番組のサムネイル画像１０５を表示する。
【００５８】
これにより、テレビ２０に現在視聴中の番組を表示しながら、ユーザは選局したい番組のサムネイル画像を手元のリモコンの画面上で確認することができるため、より確実な選局を行うことができる。
【００５９】
図７は、本発明のリモコン１０の表示部１３に表示される選局用スライダ１０１の他の例を示す図である。
図７（Ａ）において、バー状の選局用スライダ１０１を２階層表示した状態を示す。この場合、１階層目の選局用スライダ１０１上のカーソルＳをユーザの指３０で下側にドラッグすると、２階層目の選局用スライダ１０１′がカーソルＳ′と共に表示される。例えば、１階層目の選局用スライダ１０１により３０番組を選局可能とした場合に、選局用スライダ１０１上で最初から１５番目の番組の位置をタッチした状態でカーソルＳをユーザの指３０で下側にドラッグすると、２階層目の選局用スライダ１０１′がカーソルＳ′と共に表示される。２階層目の選局用スライダ１０１′では、例えば、１５番目の番組を基準として前後合わせて１０番組を選局可能とし、１階層よりも少ない番組数でスライダを広く使うことができる。このように、番組数が多くなってきたときに階層化することで、スライダを広く使うことができるため選局操作がやり易くなる。
【００６０】
また、１階層目の選局用スライダ１０１と２階層目の選局用スライダ１０１′を同時に表示させてもよい。この場合、ユーザの指３０でカーソルＳにタッチしたまま１階層目の選局用スライダ１０１上を横方向にスライド操作していくと、２階層目の選局用スライダ１０１′では、選局用スライダ１０１上のタッチ位置に応じた番組情報を基準として前後の番組を選局可能とする。例えば、選局用スライダ１０１上で最初から１５番目の番組の位置をタッチしている場合、２階層目の選局用スライダ１０１′では、１５番目の番組を基準として前後合わせて１０番組を選局可能とする。
【００６１】
上記において、選局用スライダは、２本に限定されず、複数本のバー状のスライダで構成されていればよく、各スライダにおいて１本当りの選局可能な番組数を異ならせている。さらに、複数本のバー状のスライダに、同一の選局可能番組を含むように構成することで、スライダの分解能を向上させることができる。
【００６２】
また、図７（Ｂ）に示すように、渦巻状の選局用スライダ１０１を表示してもよい。この場合も選局用スライダ１０１の座標位置は絶対座標として管理される。これらの実施例以外にも、例えば、三角形、矩形など種々の形状が適用可能であることは言うまでもない。
【００６３】
図８は、本発明のリモコン１０が備えるメモリ１２で管理されるデータの一例を説明するための図で、図中、１２１は番組管理データ、１２２はロゴデータを示す。番組管理データ１２１は、テレビ２０から受信した番組情報に基づいて作成されるデータであり、例えば、チャンネル番号、番組名、放送時間、番組内容、ロゴＩＤなどを含むものとする。また、ロゴデータ１２２は、番組管理データ１２１のロゴＩＤに対応して管理されるデータである。
【００６４】
前述したように、ユーザの指３０でカーソルＳにタッチしたまま図中矢印の方向に移動させると、これに応じてカーソルＳも選局用スライダ１０１上を移動する。このカーソルＳの座標位置はタッチパネル１３１上で検出され、ＣＰＵ１１に入力される。ＣＰＵ１１は、カーソルＳの座標位置に対応する番組情報１０２をメモリ１２から抽出して連続的に表示部１３に表示させる。本例では、番組管理データ１２１の１０１ｃｈ、１０３ｃｈ、１９１ｃｈの順に番組情報が表示部１３に表示されている。
【００６５】
以上説明したように、本発明によれば、カーソルキー等を使用せず、液晶画面に表示された仮想的なウェジット（選局用スライダ）をユーザがタッチパネルを介して指でなぞるアナログ的な操作により、番組情報を順次画面表示しながら、目的の番組を素早く選局することができる。
また、テレビとリモコンの間で双方向にデータを送受信することができるため、リモコンの画面上でユーザに番組情報を手元で提示して選局することが可能となり、操作性の向上を図ることができる。
【図面の簡単な説明】
【００６６】
【図１】本発明の一実施形態に係るリモコン装置及びデジタルテレビジョン放送受信装置の構成例を示すブロック図である。
【図２】本発明に係るリモコン及びテレビの外観構成の一例を示す図である。
【図３】本発明のリモコンが備える表示部に表示される画面例を示す図である。
【図４】本発明のリモコンとテレビとの間における番組情報更新シーケンスの一例について説明するための図である。
【図５】本発明のリモコンによる選局操作シーケンスの一例について説明するための図である。
【図６】本発明のリモコンが備える表示部に表示される他の画面例を示す図である。
【図７】本発明のリモコンの表示部に表示される選局用スライダの他の例を示す図である。
【図８】本発明のリモコンが備えるメモリで管理されるデータの一例を説明するための図である。
【符号の説明】
【００６７】
１０…リモコン装置（リモコン）、１１…ＣＰＵ、１２…メモリ、１３…表示部、１４…操作部、１５，２３…リモコン信号送受信部、１６…通知部、２０…デジタルテレビジョン放送受信装置、２１…ＣＰＵ、２２…メモリ、２４…主チューナ、２５…副チューナ、２６…ＤＥＭＵＸ、２７…ＡＶストリーム復号部、２８…ＯＳＤ合成部、１０１…操作用スライダ、１０２…番組情報、１０３…ネットワーク種別選択キー、１０４…選局実行キー、１０５…サムネイル画像、１３１…タッチパネル。
【図１】
0005134350.tif 000002
【図２】
0005134350.tif 000003
【図３】
0005134350.tif 000004
【図４】
0005134350.tif 000005
【図５】
0005134350.tif 000006
【図６】
0005134350.tif 000007
【図７】
0005134350.tif 000008
【図８】
0005134350.tif 000009